(57)【要約】  空気調和機（１００）は、室内機（２）と、室外機（１）とを備え、室外機（１）は、ＤＣモータ（３）と、コイル部（２０ａ）と、室外機（１）の電源であるＡＣ電源（７）の供給ライン（Ａ）に設けられる接点部（２０ｂ）とを備える、コイル部（２０ａ）に電流が流れないと、接点部（２０ｂ）が電気的に非接続状態となり、コイル部（２０ａ）に電流が流れると、接点部（２０ｂ）が電気的に接続状態となる突入電流防止リレー（１８）と、接点部（２０ｂ）と並列に接続されるＰＴＣ（１９）と、突入電流防止リレー（１８）の電源であるリレー駆動電源（２１）の供給ライン（Ｂ）に設けられるとともに、ＤＣモータ（３）に設けられる、ＤＣモータ（３）の温度が一定の温度未満では電気的に接続状態であり、ＤＣモータ（３）の温度が一定の温度以上になると電気的に非接続状態となる温度プロテクタ（５）とを備える。
2019186648.tif 000002
【特許請求の範囲】
【請求項１】
室内機と、室外機とを備える空気調和機であって、
前記室外機は、
モータと、
第１のコイル部と、前記室外機の電源である交流電源の供給ラインに設けられる第１の接点部とを備える、前記第１のコイル部に電流が流れないと、前記第１の接点部が電気的に非接続状態となり、前記第１のコイル部に電流が流れると、前記第１の接点部が電気的に接続状態となる第１のリレーと、
前記第１の接点部と並列に接続されるＰＴＣ（Positive  Temperature  Coefficient）と、
前記第１のリレーの電源であるリレー駆動電源の供給ラインに設けられるとともに、前記モータに設けられる、前記モータの温度が一定の温度未満では電気的に接続状態であり、前記モータの温度が一定の温度以上になると電気的に非接続状態となる温度プロテクタとを備える
空気調和機。
【請求項２】
前記モータは、ＤＣ（Direct  Current）モータであり、
前記ＰＴＣは、ＰＴＣサーミスタである
請求項１に記載の空気調和機。
【請求項３】
前記温度プロテクタは、前記モータの外殻または巻線に取り付けられる
請求項１または２に記載の空気調和機。
【請求項４】
前記室内機は、
第２のコイル部と、前記室外機の電源である交流電源の供給ラインに設けられる第２の接点部とを備える第２のリレーを備える
請求項１から３のいずれか１項に記載の空気調和機。
【請求項５】
室内機と、室外機とを備える空気調和機であって、
前記室外機は、
モータと、
前記室内機と通信を行う室外通信回路と、
前記室外通信回路の電源である通信回路電源の供給ラインに設けられるとともに、前記モータに設けられる、前記モータの温度が一定の温度未満では電気的に接続状態であり、前記モータの温度が一定の温度以上になると電気的に非接続状態となる温度プロテクタとを備え、
前記室内機は、
コイル部と、前記室外機の電源である交流電源の供給ラインに設けられる接点部とを備える、前記コイル部に電流が流れないと、前記接点部が電気的に非接続状態となり、前記コイル部に電流が流れると、前記接点部が電気的に接続状態となるリレーと、
前記室外機と通信を行う室内通信回路と、
前記室外通信回路と前記室内通信回路との間での通信が成り立たなくなると、前記コイル部に電流が流れないようにする室内マイコンとを備える
空気調和機。
【発明の詳細な説明】
【技術分野】
【０００１】
本発明は、モータの温度保護制御を行う空気調和機に関する。
【背景技術】
【０００２】
従来のＤＣ（Direct  Current）モータの温度保護制御では、温度プロテクタをＤＣモータに取り付けて、ＤＣモータの巻線の温度が一定の温度以上となった場合に、モータ駆動素子の電源を遮断している。これにより、モータ駆動素子を強制的に停止させて、ＤＣモータの動作を停止させ、ＤＣモータを保護している（たとえば、特許文献１参照）。
【先行技術文献】
【特許文献】
【０００３】
【特許文献１】特開２０１２−２２８００９号公報
【発明の概要】
【発明が解決しようとする課題】
【０００４】
上述した特許文献１に記載の技術では、ＤＣモータの巻線の異常な発熱による温度異常が発生した場合に、モータ駆動素子の電源を遮断し、モータ駆動素子を強制的に停止させて、ＤＣモータの動作を停止させてはいるものの、モータ駆動素子以外の機能は動作可能な状態としている。通常、モータ駆動素子の電源が遮断されていれば、モータ駆動素子は開放状態となるため、ＤＣモータへの電流の経路は形成されずに、ＤＣモータへは電流が流れない。しかしながら、モータ駆動素子の電源が遮断されている状態であっても、モータ駆動素子がショート故障していて、ＤＣモータへの電流の経路が形成されている場合には、ＤＣモータの駆動電圧の元となる電源電圧がモータ駆動素子へ印加されていると、ＤＣモータへ電流が流れてしまう、という問題があった。【０００５】
本発明は、上記に鑑みてなされたものであって、モータの異常な発熱による温度異常が発生した場合において、モータ駆動素子がショート故障していたとしても、モータに電流が流れないようにすることができる空気調和機を得ることを目的とする。
【課題を解決するための手段】
【０００６】
上述した課題を解決し、目的を達成するために、本発明にかかる空気調和機は、室内機と、室外機とを備える。室外機は、モータと、第１のコイル部と、室外機の電源である交流電源の供給ラインに設けられる第１の接点部とを備える、第１のコイル部に電流が流れないと、第１の接点部が電気的に非接続状態となり、第１のコイル部に電流が流れると、第１の接点部が電気的に接続状態となる第１のリレーとを備える。室外機は、第１の接点部と並列に接続されるＰＴＣ（Positive  Temperature  Coefficient）と、第１のリレーの電源であるリレー駆動電源の供給ラインに設けられるとともに、モータに設けられる、モータの温度が一定の温度未満では電気的に接続状態であり、モータの温度が一定の温度以上になると電気的に非接続状態となる温度プロテクタとを備える。
【発明の効果】
【０００７】
本発明にかかる空気調和機は、モータの異常な発熱による温度異常が発生した場合において、モータ駆動素子がショート故障していたとしても、モータに電流が流れないようにすることができるという効果を奏する。
【図面の簡単な説明】
【０００８】
【図１】本発明の実施の形態１にかかる空気調和機の一例を示す概略構成図
【図２】図１に示す室外機が実行するＤＣモータの巻線の温度異常を検知してＤＣモータを停止させる処理のフローチャート
【図３】本発明の実施の形態２にかかる空気調和機の一例を示す概略構成図
【図４】本発明の実施の形態３にかかる空気調和機の一例を示す概略構成図
【図５】図４に示す空気調和機が実行するＤＣモータの巻線の温度異常を検知してＤＣモータを停止させる処理のフローチャート
【発明を実施するための形態】
【０００９】
以下に、本発明の実施の形態にかかる空気調和機を図面に基づいて詳細に説明する。なお、この実施の形態によりこの発明が限定されるものではない。
【００１０】
実施の形態１．
まず、本発明の実施の形態１にかかる空気調和機について説明する。図１は、本発明の実施の形態１にかかる空気調和機の一例を示す概略構成図である。
【００１１】
図１に示す、空気調和機１００は、室外機１と、室内機２とを備える。室外機１は、圧縮機モータまたはファンモータなどのＤＣモータ３と、ＤＣモータ３を制御するための室外制御基板４と、ＤＣモータ３を温度異常から保護するための温度プロテクタ５とを備える。室外機１は、ＤＣモータ３にかえて、たとえばＡＣ（Alternating  Current）モータを備えていてもよい。
【００１２】
室外制御基板４は、突入電流から室外制御基板４を保護するための突入電流防止回路６と、ＡＣ電源７から供給されるＡＣ電流を整流するためのダイオードブリッジ８と、電荷を蓄積する電解コンデンサ９と、ＤＣ／ＤＣコンバータ１０とを備える。ＤＣ／ＤＣコンバータ１０は、印加されたＤＣ電圧を室外制御基板４上の各部品を動作させるための低い電圧のＤＣ電圧に変換したり、モータ駆動素子１１による駆動電圧の変換の元となるＤＣ電圧に変換したりする。ＤＣ／ＤＣコンバータ１０により生成された低い電圧のＤＣ電圧は、図１において図示しない経路で室外制御基板４上の各部品に印加される。室外制御基板４は、ＤＣモータ３を駆動するためのモータ駆動素子１１と、モータ駆動素子１１にＤＣモータ３の駆動指令信号を送信したり、突入電流防止回路６を制御したりするための室外マイコン１２と、後述する室内制御基板１３と情報をやり取りするための室外通信回路１４とを備える。
【００１３】
室内機２は、室内制御基板１３を備える。室内制御基板１３は、ＡＣ電源７を室内制御基板１３上の各部品を動作させるための電源に変換するための室内電源回路１５と、室内機２の機能を制御するための室内マイコン１６と、室外制御基板４と情報をやり取りするための室内通信回路１７とを備える。室外機１と、室内機２とは、室外通信回路１４と内外通信ライン２６と室内通信回路１７とを介して接続される。
【００１４】
突入電流防止回路６は、突入電流防止リレー１８と、その接点部２０ｂに並列接続されるＰＴＣ（Positive  Temperature  Coefficient）１９とを備える。ＰＴＣ１９は、たとえばＰＴＣサーミスタである。突入電流防止リレー１８は、コイル部２０ａの一端に温度プロテクタ５を介してリレー駆動電源２１を接続し、コイル部２０ａの他端に室外マイコン１２を接続し、室外マイコン１２の制御により、コイル部２０ａに電流を流すことにより、接点部２０ｂが電気的に接続状態となり、コイル部２０ａに電流を流さないことにより、接点部２０ｂが電気的に非接続状態となるように構成される。接点部２０ｂは、室外制御基板４上のＡＣ電源７の供給ラインＡに設けられる。突入電流防止リレー１８は、第１のリレーに対応する。コイル部２０ａは、第１のコイル部に対応する。接点部２０ｂは、第１の接点部に対応する。
【００１５】
温度プロテクタ５は、対象の温度が一定の温度未満では両端間が電気的に接続状態であり、対象の温度が一定の温度以上になると両端間の電気的接続を遮断して電気的に非接続状態となるものである。温度プロテクタ５は、対象としてのＤＣモータ３の外郭または巻線などに取り付けられる。温度プロテクタ５は、一端にコイル部２０ａを接続し、他端にリレー駆動電源２１を接続する。温度プロテクタ５は、リレー駆動電源２１の供給ラインＢに設けられる。温度プロテクタ５は、一端にコイル部２０ａを接続し、他端に室外マイコン１２を接続してもよい。温度プロテクタ５は、たとえばサーモスタットである。温度プロテクタ５は、スイッチの形態に限定されず、温度ヒューズのように温度によって両端子間の電気的接続が遮断される形態であってもよい。
【００１６】
図２は、図１に示す室外機が実行するＤＣモータの巻線の温度異常を検知してＤＣモータを停止させる処理のフローチャートである。
【００１７】
室外機１では、室外制御基板４にＡＣ電源７からＡＣ電流が供給されると、供給されたＡＣ電流は、突入電流防止回路６のＰＴＣ１９を通過したのちに、ダイオードブリッジ８で整流され、電解コンデンサ９に電荷が蓄積される。これにより、ＡＣ電源７から室外制御基板４に印加されるＡＣ電圧は、ＤＣ電圧に変換される。
【００１８】
変換されたＤＣ電圧は、ＤＣ／ＤＣコンバータ１０によって、室外マイコン１２、モータ駆動素子１１および室外通信回路１４などの動作に必要となる低い電圧のＤＣ電圧に変換され、室外マイコン１２、モータ駆動素子１１および室外通信回路１４などを構成する各部品に印加される。リレー駆動電源２１の電源電圧も低い電圧のＤＣ電圧であり、ＤＣ／ＤＣコンバータ１０によって生成される。
【００１９】
生成された低い電圧のＤＣ電圧が室外マイコン１２に印加されると、室外マイコン１２が起動する。室外マイコン１２は、リレー駆動電源２１の電源電圧がコイル部２０ａに印加されて、コイル部２０ａに電流が流れるように制御する。これにより、接点部２０ｂが接続されて、これまでＰＴＣ１９を経由してダイオードブリッジ８に供給されていたＡＣ電流が接点部２０ｂを経由してダイオードブリッジ８に供給されるようになり、ＡＣ電流の経路が切り替わる。
【００２０】
通常、ＡＣ電流の経路が切り替わるまでには１秒〜２秒程度しかかからないため、ＰＴＣ１９の発熱量はそれほど大きくなく、ＰＴＣ１９の抵抗値が突入電流防止回路６以降へのＡＣ電流の供給を断ち切るまでには至らない。
【００２１】
ＡＣ電流の経路が切り替わったのち、室外マイコン１２からモータ駆動素子１１へＤＣモータ駆動信号が送信され、ＤＣ／ＤＣコンバータ１０によって生成された、上述した低い電圧のＤＣ電圧とは別のＤＣ電圧が、モータ駆動素子１１によって、ＤＣモータ３を回転させるための駆動電圧に変換される。駆動電圧がＤＣモータ３に印加されることにより、ＤＣモータ３が回転する。このようにして、室外機１は通常運転を行う（ステップＳ１０１）。
【００２２】
ＤＣモータ３の巻線の異常な発熱による温度異常が発生していない間は（ステップＳ１０２でＮｏ）、室外機１は通常運転を行う（ステップＳ１０１）。
【００２３】
ＤＣモータ３の巻線の異常な発熱による温度異常が発生すると（ステップＳ１０２でＹｅｓ）、温度プロテクタ５が作動し（ステップＳ１０３）、温度プロテクタ５の両端間の電気的接続が遮断された状態になり、コイル部２０ａに印加されるリレー駆動電源２１の電源電圧を遮断する（ステップＳ１０４）。これにより、接点部２０ｂが開放される（ステップＳ１０５）。
【００２４】
ＡＣ電流の経路が接点部２０ｂを経由する経路からＰＴＣ１９を経由する経路に切り替わるため、ＰＴＣ１９の温度と抵抗値とが上昇し（ステップＳ１０６）、ＰＴＣ１９での電圧降下が大きくなる。これにより、突入電流防止回路６以降にＡＣ電流が供給されなくなり、電解コンデンサ９に電荷を蓄積させることができなくなって、ＤＣ／ＤＣコンバータ１０に印加されるＤＣ電圧が低下する（ステップＳ１０７）。
【００２５】
ＤＣ／ＤＣコンバータ１０に印加されるＤＣ電圧が低下すると、モータ駆動素子１１に印加されるＤＣ電圧も低下し、モータ駆動素子１１は駆動電圧を生成することができなくなり（ステップＳ１０８）、ＤＣモータ３は停止する（ステップＳ１０９）。ＤＣ／ＤＣコンバータ１０は、室外マイコン１２、モータ駆動素子１１および室外通信回路１４の動作に必要となる低い電圧のＤＣ電圧も生成することができなくなり、室外機１は停止する。
【００２６】
ＤＣモータ３への電力供給が停止し、ＤＣモータ３の巻線に電流が流れなくなると、ＤＣモータ３の巻線の温度は低下し、温度プロテクタ５の両端間が電気的に接続された状態に戻る。温度プロテクタ５が、温度ヒューズの場合には、元の状態には戻らない。
【００２７】
ＰＴＣ１９の温度が低下し、ＰＴＣ１９の抵抗値が電流が流れる値まで低下したとしても、ＤＣ／ＤＣコンバータ１０によってリレー駆動電源２１の電源電圧が生成されていないため、温度プロテクタ５の両端間が電気的に接続された状態に戻っても、接点部２０ｂは開放された状態のままとなる。このため、電解コンデンサ９への電荷の蓄積が再開されたとしても、ＰＴＣ１９を経由してＡＣ電流が流れるため、すぐにＰＴＣ１９の温度が上昇し、抵抗値が電流が流れなくなる値まで上昇して、電解コンデンサ９への電荷の蓄積が停止する。電解コンデンサ９への電荷の蓄積の再開および停止が繰り返され、ＤＣ／ＤＣコンバータ１０に印加されるＤＣ電圧がＤＣ／ＤＣコンバータ１０による電圧変換に必要なＤＣ電圧まで上昇することがない。このため、ＤＣ／ＤＣコンバータ１０は、室外マイコン１２などの動作に必要となる低い電圧のＤＣ電圧、およびモータ駆動素子１１による駆動電圧の変換の元となるＤＣ電圧を生成することができない。室外制御基板４に供給されるＡＣ電流を、ブレーカなどを用いて一旦遮断し、ＰＴＣ１９の温度を通常運転の運転開始時相当の温度まで低下させない限り、空気調和機１００の室外機１は動作を再開しないことになる。
【００２８】
図２に示す処理によれば、ＤＣモータ３の巻線の異常な発熱による温度異常が発生すると、突入電流防止回路６以降にＡＣ電流が供給されないようになる。このため、モータ駆動素子１１がショート故障していたとしてもＤＣモータ３に電流が流れることがなく、ＤＣモータ３に流れる電流を遮断することができる。
【００２９】
本実施の形態によれば、室外マイコン１２による制御によって、ＤＣモータ３を停止させていないため、室外マイコン１２のプログラムの暴走などの何らかの要因によって室外マイコン１２のプログラムによるＤＣモータ３の保護機能が働かない状態であったとしても、ＤＣモータ３を停止させることができる。
【００３０】
本実施の形態によれば、ＡＣ電源７から供給されるＡＣ電流の経路を直接温度プロテクタによって遮断する構成と比較して、温度プロテクタ５の両端に印加される電圧が小さくなる。一般的に定格電圧が小さい部品の方が、部品サイズが小さくなるため、温度プロテクタ５の小型化を図ることができる。
【００３１】
実施の形態２．
次に、本発明の実施の形態２にかかる空気調和機について説明する。図３は、本発明の実施の形態２にかかる空気調和機の一例を示す概略構成図である。本発明の実施の形態２にかかる空気調和機１００Ａは、ＡＣ電源７から供給されるＡＣ電流が室外機１Ａに直接供給されずに、室内機２Ａを介して供給される点が、上述した実施の形態１と主に異なる。実施の形態１と重複した構成および作用については説明を省略し、以下に異なる構成および作用についての説明を行う。
【００３２】
図３に示す、空気調和機１００Ａは、室外機１と、室内機２Ａとを備える。室内機２Ａは、室内制御基板１３Ａを備える。室内制御基板１３Ａは、ＡＣ電源７を室内制御基板１３Ａ上の各部品を動作させるための電源に変換するための室内電源回路１５Ａと、室内機２Ａの機能を制御するための室内マイコン１６Ａと、室外制御基板４と情報をやり取りするための室内通信回路１７Ａとを備える。室外機１Ａと、室内機２Ａとは、室外通信回路１４と内外通信ライン２６と室内通信回路１７Ａとを介して接続される。
【００３３】
室内制御基板１３Ａは、室外給電リレー２２を備える。室外給電リレー２２は、コイル部２３ａの一端にリレー駆動電源２４を接続し、コイル部２３ａの他端に室内マイコン１６Ａを接続し、室内マイコン１６Ａの制御により、コイル部２３ａに電流を流すことにより、接点部２３ｂが電気的に接続状態となり、コイル部２３ａに電流を流さないことにより、接点部２３ｂが電気的に非接続状態となるように構成される。接点部２３ｂは、室内制御基板１３Ａ上のＡＣ電源７の供給ラインＣに設けられる。室外給電リレー２２は、第２のリレーに対応する。コイル部２３ａは、第２のコイル部に対応する。接点部２３ｂは、第２の接点部に対応する。
【００３４】
本実施の形態によれば、上述した本発明の実施の形態１と同様の効果を奏することができる。さらに、本実施の形態によれば、室内制御基板１３Ａ上のＡＣ電源７の供給ラインＣに室外給電リレー２２の接点部２３ｂが設けられる。これにより、ブレーカなどを用いてＡＣ電流の遮断を行わなくても、室外制御基板４へ供給されるＡＣ電流を遮断することが可能となる。
【００３５】
実施の形態３．
次に、本発明の実施の形態３にかかる空気調和機について説明する。図４は、本発明の実施の形態３にかかる空気調和機の一例を示す概略構成図である。本発明の実施の形態３にかかる空気調和機１００Ｂは、リレー駆動電源２１と突入電流防止リレー１８との間に温度プロテクタ５が設けられずに、通信回路電源２５と室外通信回路１４との間に温度プロテクタ５Ａが設けられている点が、上述した実施の形態２と主に異なる。実施の形態２と重複した構成および作用については説明を省略し、以下に異なる構成および作用についての説明を行う。
【００３６】
図４に示す、空気調和機１００Ｂは、室外機１Ａと、室内機２Ａとを備える。室外機１Ａは、ＤＣモータ３と、室外制御基板４Ａと、温度プロテクタ５Ａとを備える。温度プロテクタ５Ａは、ＤＣモータ３の外郭または巻線などに取り付けられる。温度プロテクタ５Ａは、一端に室外通信回路１４を接続し、他端に通信回路電源２５を接続する。温度プロテクタ５Ａは、通信回路電源２５の供給ラインＤに設けられる。
【００３７】
図５は、図４に示す空気調和機が実行するＤＣモータの巻線の温度異常を検知してＤＣモータを停止させる処理のフローチャートである。
【００３８】
室内機２Ａでは、ＡＣ電源７から室内電源回路１５Ａに印加されるＡＣ電圧が、室内電源回路１５Ａで室内マイコン１６Ａおよび室内通信回路１７Ａなどの動作に必要となる低い電圧のＤＣ電圧に変換され、室内マイコン１６Ａおよび室内通信回路１７Ａなどを構成する各部品に印加される。リレー駆動電源２４の電源電圧も低い電圧のＤＣ電圧であり、室内電源回路１５Ａで生成される。
【００３９】
生成された低い電圧のＤＣ電圧が室内マイコン１６Ａに印加されると、室内マイコン１６Ａが起動する。室内マイコン１６Ａは、リレー駆動電源２４の電源電圧がコイル部２３ａに印加されて、コイル部２３ａに電流が流れるように制御する。これにより、接点部２３ｂが接続されて、室外機１ＡにＡＣ電流が供給されるようになる。
【００４０】
室外機１ＡにＡＣ電流が供給されると、上述した実施の形態１と同様に、室外機１Ａは通常運転を行う（ステップＳ２０１）。
【００４１】
ＤＣモータ３の巻線の異常な発熱による温度異常が発生していない間は（ステップＳ２０２でＮｏ）、室外機１Ａは通常運転を行う（ステップＳ２０１）。
【００４２】
ＤＣモータ３の巻線の異常な発熱による温度異常が発生すると（ステップＳ２０２でＹｅｓ）、温度プロテクタ５Ａが作動し（ステップＳ２０３）、温度プロテクタ５Ａの両端間の電気的接続が遮断された状態になり、室外通信回路１４に印加される通信回路電源２５の電源電圧を遮断する（ステップＳ２０４）。これにより、室外通信回路１４と室内通信回路１７Ａとの間での通信が成り立たなくなり、室内マイコン１６Ａは、通信異常と判定する（ステップＳ２０５）。
【００４３】
室内マイコン１６Ａは、通信異常と判定すると、リレー駆動電源２４の電源電圧がコイル部２３ａに印加されないようにして、コイル部２３ａに電流が流れないように制御する。これにより、接点部２３ｂが開放されて（ステップＳ２０６）、室外機１ＡにＡＣ電流が供給されないようになり、電解コンデンサ９に電荷を蓄積させることができなくなって、ＤＣ／ＤＣコンバータ１０に印加されるＤＣ電圧が低下する（ステップＳ２０７）。
【００４４】
ＤＣ／ＤＣコンバータ１０に印加されるＤＣ電圧が低下すると、モータ駆動素子１１に印加されるＤＣ電圧も低下し、モータ駆動素子１１は駆動電圧を生成することができなくなり（ステップＳ２０８）、ＤＣモータ３は停止する（ステップＳ２０９）。ＤＣ／ＤＣコンバータ１０は、室外マイコン１２、モータ駆動素子１１および室外通信回路１４の動作に必要となる低い電圧のＤＣ電圧も生成することができなくなり、室外機１Ａは停止する。
【００４５】
ＤＣモータ３への電力供給が停止し、ＤＣモータ３の巻線に電流が流れなくなると、ＤＣモータ３の巻線の温度は低下し、温度プロテクタ５Ａの両端間が電気的に接続された状態に戻る。温度プロテクタ５が、温度ヒューズの場合には、元の状態には戻らない。
【００４６】
しかし、ＤＣ／ＤＣコンバータ１０によって通信回路電源２５の電源電圧が生成されていないため、温度プロテクタ５の両端間が電気的に接続された状態に戻っても、室外通信回路１４は動作可能とはならず、室外通信回路１４と室内通信回路１７Ａとの間での通信は成り立たない。
【００４７】
図５に示す処理によれば、ＤＣモータ３の巻線の異常な発熱による温度異常が発生すると、室外機１ＡにＡＣ電流が供給されないようになる。このため、モータ駆動素子１１がショート故障していたとしてもＤＣモータ３に電流が流れることがなく、ＤＣモータ３に流れる電流を遮断することができる。
【００４８】
本実施の形態によれば、室外マイコン１２による制御によって、ＤＣモータ３を停止させていないため、室外マイコン１２のプログラムの暴走などの何らかの要因によって室外マイコン１２のプログラムによるＤＣモータ３の保護機能が働かない状態であったとしても、ＤＣモータ３を停止させることができる。
【００４９】
本実施の形態によれば、ＡＣ電源７から供給されるＡＣ電流の経路を直接温度プロテクタによって遮断する構成と比較して、温度プロテクタ５Ａの両端に印加される電圧が小さくなる。一般的に定格電圧が小さい部品の方が、部品サイズが小さくなるため、温度プロテクタ５Ａの小型化を図ることができる。
【００５０】
本実施の形態では、温度プロテクタ５Ａを室外通信回路１４と通信回路電源２５との間に設けているが、内外通信ライン２６に温度プロテクタを設けて、当該温度プロテクタをＤＣモータ３の外郭または巻線などに取り付けてもよい。この場合においても、当該温度プロテクタが作動すると、室外通信回路１４と室内通信回路１７Ａとの間での通信が成り立たなくなり、室内マイコン１６Ａは通信異常を判定することができ、同様の効果を奏することができる。
【００５１】
以上の実施の形態に示した構成は、本発明の内容の一例を示すものであり、別の公知の技術と組み合わせることも可能であるし、本発明の要旨を逸脱しない範囲で、構成の一部を省略および変更することも可能である。
【符号の説明】
【００５２】
１，１Ａ  室外機、２，２Ａ  室内機、３  ＤＣモータ、４  室外制御基板、５  温度プロテクタ、６  突入電流防止回路、７  ＡＣ電源、８  ダイオードブリッジ、９  電解コンデンサ、１０  ＤＣ／ＤＣコンバータ、１１  モータ駆動素子、１２  室外マイコン、１３  室内制御基板、１４  室外通信回路、１５  室内電源回路、１６  室内マイコン、１７  室内通信回路、１８  突入電流防止リレー、１９  ＰＴＣ、２０ａ，２３ａ  コイル部、２０ｂ，２３ｂ  接点部、２１，２４  リレー駆動電源、２２  室外給電リレー、２５  通信回路電源、２６  内外通信ライン、１００，１００Ａ，１００Ｂ  空気調和機。
【図１】
2019186648.tif 000003
【図２】
2019186648.tif 000004
【図３】
2019186648.tif 000005
【図４】
2019186648.tif 000006
【図５】
2019186648.tif 000007
【手続補正書】
【提出日】令和2年2月26日(2020.2.26)
【手続補正１】
【補正対象書類名】特許請求の範囲
【補正対象項目名】全文
【補正方法】変更
【補正の内容】
【特許請求の範囲】
【請求項１】
室内機と、室外機とを備える空気調和機であって、
前記室外機は、
モータと、
前記モータに接続されて、前記モータを駆動するモータ駆動素子と、
前記モータ駆動素子に接続されて、前記室外機の電源である交流電源からの電圧を変換して前記モータ駆動素子に供給するコンバータと、
第１のコイル部と、前記交流電源と前記コンバータとの間に設けられる第１の接点部とを備え、前記第１のコイル部に電流が流れないと、前記第１の接点部が電気的に非接続状態となり、前記第１のコイル部に電流が流れると、前記第１の接点部が電気的に接続状態となる第１のリレーと、
前記第１の接点部と並列に接続されるＰＴＣ（Positive  Temperature  Coefficient）と、
前記第１のリレーの電源であるリレー駆動電源の供給ラインに設けられるとともに、前記モータの温度が一定の温度未満では電気的に接続状態であり、前記モータの温度が前記一定の温度以上になると電気的に非接続状態となる温度プロテクタとを備える
空気調和機。
【請求項２】
前記モータの温度が前記一定の温度以上になると、前記温度プロテクタの両端間の電気的接続が遮断されることで、前記第１のコイル部に印加される前記リレー駆動電源の電源電圧が遮断されて前記第１の接点部が解放され、前記交流電源の経路が前記第１の接点部を経由する経路から前記ＰＴＣを経由する経路に切り替えられて、前記ＰＴＣの温度と抵抗値とが上昇することで、前記モータへの給電が停止されて、前記モータの動作が停止される
請求項１に記載の空気調和機。
【請求項３】
前記モータは、ＤＣ（Direct  Current）モータであり、
前記ＰＴＣは、ＰＴＣサーミスタである
請求項１に記載の空気調和機。
【請求項４】
前記温度プロテクタは、前記モータの外殻または前記モータの巻線に取り付けられる
請求項１または３に記載の空気調和機。
【請求項５】
前記室内機は、
第２のコイル部と、前記交流電源の供給ラインに設けられる第２の接点部とを備える第２のリレーを備える
請求項１から４のいずれか１項に記載の空気調和機。
【請求項６】
室内機と、室外機とを備える空気調和機であって、
前記室内機は、
コイル部と、前記室外機の電源である交流電源の供給ラインに設けられる接点部とを備え、前記コイル部に電流が流れないと前記接点部が電気的に非接続状態となり、前記コイル部に電流が流れると前記接点部が電気的に接続状態となるリレーと、
前記室外機と通信を行う室内通信回路と、を備え、
前記室外機は、
前記接点部を介して前記交流電源と接続され、
モータと、
前記室内機と通信を行う室外通信回路と、
前記室外通信回路の電源である通信回路電源の供給ラインに設けられるとともに、前記モータの温度が一定の温度未満では電気的に接続状態であり、前記モータの温度が前記一定の温度以上になると電気的に非接続状態となる温度プロテクタとを備え、
前記室内機は、
前記室外通信回路と前記室内通信回路との間での通信が成り立たなくなると、前記コイル部に電流が流れないようにする室内マイコンをさらに備える
空気調和機。
【請求項７】
前記モータの温度が前記一定の温度以上になると、前記温度プロテクタの両端間の電気的接続が遮断されることで、前記室外通信回路に印加される通信回路電源の電源電圧が遮断されて前記室外通信回路と前記室内通信回路の電気的接続が遮断され、前記室外機と前記室内機との通信が成り立たなくなって前記室内マイコンが前記通信回路電源の電源電圧が前記コイル部に印加されないように制御することで、前記接点部が解放されて、前記室外機への電源供給が停止されて、前記モータを停止される
請求項６に記載の空気調和機。
【国際調査報告】
2019186648.tif 000008
2019186648.tif 000009
2019186648.tif 000010